(57)【特許請求の範囲】
【請求項１】
ケーブルを保持すると共に、保持したケーブルが垂直方向になるように支持具の支持腕部に取り付けられる垂直敷設ケーブルの保持具において、一端部が互いに回動可能に軸着され、他端部が接合可能である左右一対の半円筒状の保持体からなり、両保持体間にケーブルを保持可能であって、両保持体のうちの一方の保持体の外周面部上には保持枠が設けられ、その保持枠は、上記保持体の軸線方向に沿って上記外周面部に対し見掛け上はトンネル状になるように、ケーブルの垂直敷設時に上部側となる部分が門形状部に形成されて、該門形状部で上記外周面部上に固定されていると共に、ケーブルの垂直敷設時に下部側となる部分が上記外周面部上から離間していて、その下部側の部分に、上記外周面部と該下部側の部分との間に挿入された上記支持具の支持腕部を締め付け固定するための締め付け用ボルトが螺装されており、また、両保持体の上記他端部側にそれぞれ設けられている接合部のうちの一方の接合部には結合用ボルトが抜き差し可能に挿着された長孔が、他方の接合部にはその長孔に対応して上記結合用ボルトに螺合したナットの通過できる径大部を備えた挿通孔が設けられており、その挿通孔における上記径大部以外の部分の幅は上記ナットが通過できない大きさになっていることを特徴とする垂直敷設ケーブルの保持具。
【請求項２】
保持枠が固定されている保持体の外周面部には、締め付け用ボルトの螺進方向に対向させて、一対の突部が設けられていることを特徴とする請求項１記載の垂直敷設ケーブルの保持具。
【発明の詳細な説明】
【０００１】
【発明の属する技術分野】
本発明は、高層ビル等の屋内に垂直方向へ向けて敷設される垂直敷設ケーブルの保持具に関し、取扱い等に便利であるように改良したものである。
【０００２】
【従来の技術】
従来知られている垂直敷設ケーブルの保持具は、図４に示されているように、一端部が互いに回動可能に軸着３され、他端部が互いに締め付け可能とされた左右一対の半円筒状の保持体１，２からなり、一方の保持体１には、その長さ方向に縦添えして、該保持体１の外周面部に内側板部４ａが固着されている下向きコの字断面形の保持枠（図示省略したが、ケーブルの敷設側に固定されている支持具への取付け部として機能）４が突設され、その保持枠４の外側板部４ｂには締め付け用ボルト５が螺装されており、また、両保持体１，２の他端部に設けられている接合部１ａ，２ａは、該接合部１ａ，２ａに抜き差し可能に挿着した結合用Ｕボルト６の両ナット７，７の締め付け操作により、結合できるように構成されている。
【０００３】
【発明が解決しようとする課題】
この従来保持具は、保持枠４の内側板部４ａが保持体１の長さ方向の全長にわたって縦添えされているため、保持枠４を設けるには材料費が嵩み、また、Ｕボルト６は比較的高価であって、コストアップになるという問題がある。そして、Ｕボルト６の使用により保持体１，２が締め付けられる構造では、２個のナット７，７が外されていない限り、保持体１，２を大きく展開できないので、ケーブルの支持作業を行なう場合には非常に不便であり、また、作業は高所で行なわれることが多く、外したナットを落し紛失してしまうことも往々にしてあって、作業の進行を妨げるという問題もある。
【０００４】
本発明はこのような問題を解消したものであって、その目的は、保持枠を可能な限り小さく構成できるようにして材料費の低減を図ると同時に、比較的高価なＵボルトを使用しない構造にして、大幅なコストダウンを達成できるように改良した垂直敷設ケーブルの保持具を提供することにある。また、他の目的は、結合用ボルトにナットを螺合させたままの状態で保持体を大きく展開できると同時に、ナットを螺合させたままの状態で結合用ボルトを一方の保持体から外すことができ、ボルトとナットの紛失する不具合を完全に解消して取扱いに至極便利であるように改良した垂直敷設ケーブルの保持具を提供することにある。
【０００５】
【課題を解決するための手段】
上記目的を達成するために、本発明の特徴とする垂直敷設ケーブルの保持具は、ケーブルを保持すると共に、保持したケーブルが垂直方向になるように支持具の支持腕部に取り付けられる垂直敷設ケーブルの保持具において、一端部が互いに回動可能に軸着され、他端部が接合可能である左右一対の半円筒状の保持体からなり、両保持体間にケーブルを保持可能であって、両保持体のうちの一方の保持体の外周面部上には保持枠が設けられ、その保持枠は、上記保持体の軸線方向に沿って上記外周面部に対し見掛け上はトンネル状になるように、ケーブルの垂直敷設時に上部側となる部分が門形状部に形成されて、該門形状部で上記外周面部上に固定されていると共に、ケーブルの垂直敷設時に下部側となる部分が上記外周面部上から離間していて、その下部側の部分に、上記外周面部と該下部側の部分との間に挿入された上記支持具の支持腕部を締め付け固定するための締め付け用ボルトが螺装されており、また、両保持体の上記他端部側にそれぞれ設けられている接合部のうちの一方の接合部には結合用ボルトが抜き差し可能に挿着された長孔が、他方の接合部にはその長孔に対応して上記結合用ボルトに螺合したナットの通過できる径大部を備えた挿通孔が設けられており、その挿通孔における上記径大部以外の部分の幅は上記ナットが通過できない大きさになっている構成である。
【０００６】
この構成において、保持枠が固定されている保持体の外周面部には、ケーブル敷設部側に固定されている支持具の支持腕部を締め付け用ボルトにより上記外周面部上に締め付けたときに、その支持腕部と外周面部が２点接触できるように締め付け用ボルトの螺進方向に対向させて一対の突部が設けられていることが、本保持具の支持状態を強固に安定させる上で好ましい。
【０００７】
【発明の実施の形態】
以下に、本発明の実施の形態を図１及び図２を参照しながら説明する。保持したケーブルが垂直方向になるように、後述する支持具の支持腕部に取り付けられる垂直敷設ケーブルの保持具であって、１１，１２は一端部が枢軸１３により互いに回動可能に軸着され、他端部が接合可能である半円筒状に形成された左右一対の保持体であり、両保持体１１，１２間にケーブルを保持できる。一方の保持体１１の外周面部１１ａ上には保持枠１４が設けられており、この保持枠１４は、保持体１１の軸線方向に沿って外周面部１１ａに対し見掛け上はトンネル状になるようにケーブルの垂直敷設時に上部側となる部分が門形状部１４ａに形成されて、その門形状部１４ａで外周面部１１ａ上に固定されていると共に、ケーブルの垂直敷設時に下部側となる部分が上記外周面部１１ａ上から離間している。
【０００８】
保持枠１４の上記下部側となる部分の内側にはナット１５が固定されており、このナット１５には締め付け用ボルト１６が螺合している。１７は締め付け用ボルト１６を通すバカ穴である。そして、両保持体１１，１２の上記他端部側の平板状の接合部１１ｂ，１２ｂのうちの保持体１１側の接合部１１ｂに長孔１８が、保持体１２側の接合部１２ｂに上記長孔１８に対応して挿通孔１９がそれぞれ設けられている。長孔１８にはナット２１に螺合する結合用ボルト２２が抜き差し可能に挿着されている一方、挿通孔１９の一端部側は上記ナット２１が通過できる径大部１９ａに形成され、この径大部１９ａ以外の挿通孔１９の部分の幅はナット２１が通過できない大きさである。
【０００９】
また、保持枠１４が突設されている保持体１１の外周面部１１ａには、上記締め付け用ボルト１６の螺進方向に対向させて、一対の突部２３，２３が設けられている。この突部２３，２３はプレス成形により形成されており、締め付け用ボルト１６の中心軸線に対して左右対称の位置に設けられていることで、次に述べるように本保持具をケーブルの敷設側に固定されている支持具に安定させて支持させることができる。
【００１０】
以上のように構成されている本保持具の使用状態を図３を参照して説明する。高層ビル等に設けられている垂直方向へのケーブル敷設部ｐの壁面部ｗにアングル状の支持具ｓが固定されているので、その支持腕部ａに本保持具の保持枠１４を挿着し、門形状部１４ａに支持腕部ａを当てた状態で締め付け用ボルト１６を締め付けると、支持腕部ａに対する締め付け用ボルト１６の強い押圧作用により本保持具を支持具ｓに取り付けることができる。この場合、突部２３，２３の存在によって支持腕部ａと保持体１１の外周面部１１ａとは２点接触するので、本保持具の支持状態は強固に安定する。
【００１１】
そして、保持体１１，１２により抱着されているケーブルｃは、結合用ボルト２２のナット２１による締め付けによってしっかりと保持され、ケーブル敷設部ｐにおける揺れ等は完全に防止され、ケーブルｃを安定させて敷設できる。また、両保持体１１，１２の展開に際しては、ナット２１を結合用ボルト２２に螺合したまま挿通孔１９の径大部１９ａを通して保持体１２より外すことができるため、ナット２１を紛失する心配もなく、作業性の向上に大きく寄与できる。なお、図中２４は座金、２５はケーブルｃの保護用ゴムシートである。
【００１２】
【発明の効果】
本発明は上記の如くであって、ケーブルを垂直方向へ安定させて敷設する上に有効な保持具を経済的に製作できるし、また、その使用に際しては、結合用ボルトにナットを螺合させたままの状態で、ケーブルの保持作業乃至はその開放ができるので、作業性が一段と向上する利点があって、その実用的価値は極めて多大である。
【図面の簡単な説明】
【図１】  本発明の実施の形態を展開して示す斜視図である。
【図２】  図１に示すものを組み立てた平面図である。
【図３】  図１に示すものの使用状態を説明する縦断側面図である。
【図４】  従来の保持具を展開して示す斜視図である。
【符号の説明】
１１，１２は保持体
１１ａは外周面部
１１ｂ，１２ｂは接合部
１３は枢軸
１４は保持枠
１４ａは門形状部
１５はナット
１６は締め付け用ボルト
１８は長孔
１９は挿通孔
１９ａは径大部
２１はナット
２２は結合用ボルト
２３は突部
【図１】
0004257392.tif 000002
【図２】
0004257392.tif 000003
【図３】
0004257392.tif 000004
【図４】
0004257392.tif 000005